(57)【特許請求の範囲】
【請求項１】
既設サッシが有する既設枠の内周側に設けられる改装サッシユニットであって、
前記既設枠にて形成される既設枠開口より小さな開口を形成する改装開口枠、及び、前記改装開口枠に設けられ透光性を有する透光性面材、を備えた改装透光性サッシと、
前記既設枠開口の内周側の領域のうち、前記改装透光性サッシにより占められる領域を除く領域に設けられる改装外領域枠、及び、前記改装外領域枠の内側を覆って閉塞し遮光性を有する遮光性面材、を備えた改装遮光性パネルと、
前記改装透光性サッシ及び前記改装遮光性パネルを前記既設枠に接合する接合部材と、
を有し、
前記接合部材は、
前記改装開口枠と前記改装外領域枠とを連結する連結部材と、
連結された前記改装開口枠と前記改装外領域枠とを一体とするサブユニットの状態にて、前記既設枠に固定する固定部材と、
を有することを特徴とする改装サッシユニット。
【請求項２】
請求項１に記載の改装サッシユニットであって、
前記改装透光性サッシは、前記透光性面材を備え、開閉自在に設けられる障子を有することを特徴とする改装サッシユニット。
【請求項３】
請求項１または請求項２に記載の改装サッシユニットであって、
前記改装透光性サッシと前記改装遮光性パネルとは、少なくともいずれか一方が複数設けられていることを特徴とする改装サッシユニット。
【請求項４】
既設サッシが有する既設枠の内周側に設けられる改装サッシユニットの取付方法であって、
前記既設枠にて形成される既設枠開口より小さな開口を形成し当該開口に透光性を有する面材が設けられる改装開口枠と、前記既設枠開口の内周側領域のうち、前記改装開口枠により占められる領域を除く領域に設けられ遮光性を有する面材が組み込まれる改装外領域枠と、を連結部材で連結して一体のサブユニットとするサブユニット形成工程と、
前記サブユニットを固定部材により前記既設枠に固定して前記既設枠と前記サブユニットとを接合する接合工程と、
を有することを特徴とする改装サッシユニットの取付方法。
【請求項５】
請求項１乃至請求項３のいずれかに記載の改装サッシユニットは、２つの空間の境界に設けられており、
前記改装遮光性パネルの、前記２つの空間の一方の空間側に、前記既設枠開口の上下に位置する躯体間にわたって設けられる新設柱と、
前記既設枠が取り付けられている躯体と前記新設柱との間に亘って設けられる面材と、
を有することを特徴とする改装サッシユニットを有する窓ユニット。
【請求項６】
請求項５に記載の改装サッシユニットを有する窓ユニットであって、
前記２つの空間は、室内側空間と室外側空間であり、前記一方の空間は前記室内側空間であり、
前記面材は、前記室内側の空間の内壁をなす壁面材であることを特徴とする改装サッシユニットを有する窓ユニット。
【請求項７】
請求項５または請求項６に記載の改装サッシユニットを有する窓ユニットであって、
前記面材は、構造用の耐力面材であることを特徴とする改装サッシユニットを有する窓ユニット。
【請求項８】
請求項５乃至請求項７のいずれかに記載の改装サッシユニットを有する窓ユニットであって、
前記改装遮光性パネルと前記面材との間には断熱材が設けられていることを特徴とする改装サッシユニットを有する窓ユニット。
【発明の詳細な説明】
【技術分野】
【０００１】
本発明は、改装に用いられる改装サッシユニット、改装サッシユニットの取付方法、及び、改装サッシユニットを有する窓ユニットに関する。
【背景技術】
【０００２】
建物等の改装において、窓を含む部位を改装する場合には、例えば、既に設けられている既設サッシが有する既設枠にて形成される開口より、改装された窓の開口の方が小さくなる場合がある（例えば、特許文献１参照）。また、特に浴室では、改装時に防犯性を考慮して窓を小さくすることを要求される場合があり、洗面所では、改装に伴って備えた、洗面台と鏡や収納家具とが一体となった大型の所謂洗面化粧台によって既設枠にて形成される開口の一部が塞がれることがある。
【先行技術文献】
【特許文献】
【０００３】
【特許文献１】特開２００４−２７０２８９号公報
【発明の概要】
【発明が解決しようとする課題】
【０００４】
上記のような改装においては、既設枠にて形成される開口の内側の領域であって、改装された開口の外側の領域は、既設サッシ側から見ると、改装された開口の周りに壁の裏側が露出し、見映えが悪い。また、大型の洗面化粧台によって既設枠にて形成される開口の一部が塞がれた場合にも、既設サッシ側から見ると、洗面化粧台の裏側が露出し見映えが悪い。このため、既設枠にて形成される開口の一部に壁を形成して塞ぐことは可能であるが、施工が煩雑であるとともに費用が嵩む一方で、長年経過した周りの既設の壁と統一性がなく見映えが悪いという課題がある。さらに、壁を施工する業者と、サッシを改装する業者とは別なので、スケジュールの調整が煩雑であるとともに、さらに費用が高騰するという課題がある。
【０００５】
本発明は、かかる課題に鑑みてなされたものであり、その目的とするところは、既設枠の内周側に透光性を有する領域と遮光性を有する領域と設けることが可能であり、安価で施工性が良く、美観にも優れた改装サッシユニット、改装サッシユニットの取付方法、及び、改装サッシユニットを有する窓ユニットを提供することにある。
【課題を解決するための手段】
【０００６】
かかる目的を達成するために本発明の改装サッシユニットは、既設サッシが有する既設枠の内周側に設けられる改装サッシユニットであって、前記既設枠にて形成される既設枠開口より小さな開口を形成する改装開口枠、及び、前記改装開口枠に設けられ透光性を有する透光性面材、を備えた改装透光性サッシと、前記既設枠開口の内周側の領域のうち、前記改装透光性サッシにより占められる領域を除く領域に設けられる改装外領域枠、及び、前記改装外領域枠の内側を覆って閉塞し遮光性を有する遮光性面材、を備えた改装遮光性パネルと、前記改装透光性サッシ及び前記改装遮光性パネルを前記既設枠に接合する接合部材と、を有し、前記接合部材は、前記改装開口枠と前記改装外領域枠とを連結する連結部材と、連結された前記改装開口枠と前記改装外領域枠とを一体とするサブユニットの状態にて、前記既設枠に固定する固定部材と、を有することを特徴とする改装サッシユニットである。
【０００７】
このような改装サッシユニットによれば、既設枠開口より小さな開口を形成する改装開口枠及び透光性面材を備えた改装透光性サッシと、既設枠開口の内周側の領域のうち、改装透光性サッシにより占められる領域を除く領域に設けられる改装外領域枠及び改装外領域枠の内側を覆って閉塞し遮光性を有する遮光性面材を備えた改装遮光性パネルを既設枠に接合部材を用いて取り付けるだけで、容易に、既設枠の内周側に既設枠開口より小さな透光性を有する窓を備えるとともに、窓が設けられない領域を、遮光性を有する面材で閉塞することが可能である。例えば、既設枠の内周側の一部の領域を閉塞すべく壁を形成する場合には、従来の方法では既設枠を取り外さなければならず、また、形成された壁は既存の壁と差が生じるため、美観が損なわれる虞がある。上記改装サッシユニットによれば、既設サッシの既設枠内に改装透光性サッシと改装遮光性パネルを設けるので、施工が容易かつ安価であるとともに、既設枠、改装透光性サッシ、改装遮光性パネルが統一された外観が得られるので、美観に優れた改装サッシユニットを提供することが可能である。ここで、透光性を有する面材とは、無色透明の面材のみならず、磨り硝子及び着色されているガラスや樹脂など、光を透過する、所謂透光性を有する面材であれば構わない。
また、改装開口枠と改装外領域枠とが連結部材にて連結され、連結された改装開口枠と改装外領域枠とが接合部材にて既設枠に接合されるので、改装開口枠と改装外領域枠とを個々に既設枠と接合することはない。このため、施工現場での作業を削減し、容易にかつ短時間にて改装することともに、コストも低減することが可能である。
【０００８】
かかる改装サッシユニットであって、前記改装透光性サッシは、前記透光性面材を備え、開閉自在に設けられる障子を有することが望ましい。  
このような改装サッシユニットによれば、改装透光性サッシは、透光性面材を備え、開閉自在に設けられる障子を有するので、透光性を有する窓を開閉することが可能である。このため採光のみならず換気も可能なサッシを設けることが可能である。
【００１０】
かかる改装サッシユニットであって、前記改装透光性サッシと前記改装遮光性パネルとは、少なくともいずれか一方が複数設けられていることとしても良い。  
このような改装サッシユニットによれば、改装透光性サッシ及び改装遮光性パネルが複数設けられる場合には、既設枠開口内を、透光性を有する領域と遮光性を有する領域とを適宜分けることが可能である。このため、施工現場に応じて透光性を有する領域と遮光性を有する領域との配置に対する自由度が高い改装サッシユニットを提供することが可能である。
【００１１】
また、既設サッシが有する既設枠の内周側に設けられる改装サッシユニットの取付方法であって、前記既設枠にて形成される既設枠開口より小さな開口を形成し当該開口に透光性を有する面材が設けられる改装開口枠と、前記既設枠開口の内周側領域のうち、前記改装開口枠により占められる領域を除く領域に設けられ遮光性を有する面材が組み込まれる改装外領域枠と、を連結部材で連結して一体のサブユニットとするサブユニット形成工程と、前記サブユニットを固定部材により前記既設枠に固定して前記既設枠と前記サブユニットとを接合する接合工程と、を有することを特徴とする改装サッシユニットの取付方法である。
このような改装サッシユニットの取付方法によれば、既設枠開口より小さな開口を形成する改装開口枠と、既設枠開口の内周側の領域のうち、改装開口枠により占められる領域を除く領域に設けられ遮光性を有する面材が組み込まれる改装外領域枠とを連結して一体のサブユニットとして、既設枠に接合されるので、現場での施工が容易である。このため、容易な施工にて、既設枠開口の内周側に開閉自在な領域と閉塞される領域とを設けることが可能である。
また、改装開口枠と改装外領域枠とが連結部材にて連結され、連結された改装開口枠と改装外領域枠とが接合部材にて既設枠に接合されるので、改装開口枠と改装外領域枠とを個々に既設枠と接合することはない。このため、施工現場での作業を削減し、容易にかつ短時間にて改装することともに、コストも低減することが可能である。
【００１２】
また、前記改装サッシユニットが、２つの空間の境界に設けられており、前記改装遮光性パネルの、前記２つの空間の一方の空間側に、前記既設枠開口の上下に位置する躯体間にわたって設けられる新設柱と、前記既設枠が取り付けられている躯体と前記新設柱との間に亘って設けられる面材と、を有することを特徴とする改装サッシユニットを有する窓ユニットである。  
このような、改装サッシユニットを有する窓ユニットによれば、改装サッシユニットの既設枠開口より小さな改装開口枠に設けられた改装透光性サッシにより占められる領域を除く領域に設けられる改装遮光性パネルの一方の空間側に、既設枠開口の上下に位置する躯体間にわたって設けられる新設柱と、既設枠が取り付けられている躯体との間に亘って面材が設けられるので、改装後に、必要な大きさの透光性を有する開口部を確保しつつ、耐力壁や断熱材を設けるスペースを確保することが可能である。
【００１３】
また、新設柱及びこの新設柱と躯体との間に亘って設けられる面材は、既設枠に改装サッシユニットを備えるときに施工するので、施工が容易であるとともに、より綺麗に仕上げることが可能である。特に、既存の建物に外部からブレースやパネルを取り付けて耐震補強する場合と異なり、美観を損なうことなく耐震補強することが可能である。
【００１４】
かかる改装サッシユニットを有する窓ユニットであって、前記２つの空間は、室内側空間と室外側空間であり、前記一方の空間は前記室内側空間であり、前記面材は、前記室内側の空間の内壁をなす壁面材であることが望ましい。  
このような改装サッシユニットを有する窓ユニットによれば、面材が改装遮光性パネルの室内側に設けられるので、室内側から施工することが可能であり、また、改装遮光性パネルの室内側に、室内側の空間の壁面をなす内壁面を設けることが可能である。
【００１５】
かかる改装サッシユニットを有する窓ユニットであって、前記面材は、構造用の耐力面材であることが望ましい。  
このような改装サッシユニットを有する窓ユニットによれば、面材が構造用の耐力面材なので、より耐震性を高めることが可能である。
【００１６】
かかる改装サッシユニットを有する窓ユニットであって、前記改装遮光性パネルと前記面材との間には断熱材が設けられていることが望ましい。  
このような改装サッシユニットを有する窓ユニットによれば、改装遮光性パネルと面材との間に断熱材が設けられているので、断熱性を高めることが可能である。
【発明の効果】
【００１７】
本発明によれば、既設枠の内周側に透光性を有する領域と遮光性を有する領域と設けることが可能であり、安価で施工性が良く、美観にも優れた改装サッシユニット、改装サッシユニットの取付方法、及び、改装サッシユニットを有する窓ユニットを提供することが可能である。
【図面の簡単な説明】
【００１８】
【図１】本実施形態に係る改装サッシユニットにおける改装開閉サッシ側を説明するための縦断面図である。
【図２】本実施形態に係る改装サッシユニットにおける改装閉塞パネル側を説明するための縦断面図である。
【図３】本実施形態に係る改装サッシユニットにおける改装サッシを説明するための横断面図である。
【図４】本実施形態に係る改装サッシユニットのサブユニットの構成を説明するための斜視図である。
【図５】本実施形態に係る改装サッシユニットのサブユニットの既設枠への固定方法を説明するための斜視図である。
【図６】改装開閉サッシと改装閉塞パネルとの組み合わせの一部を例示する模式図である。
【図７】本実施形態に係る改装サッシユニットを有する窓ユニットを説明するための縦断面図である。
【図８】本実施形態に係る改装サッシユニットを有する窓ユニットを説明するための横断面図である。
【発明を実施するための形態】
【００１９】
以下、本発明の第１実施形態に係る改装サッシユニット、改装サッシユニットの取付方法、及び、改装サッシユニットを有する窓ユニットについて図面を参照して説明する。
【００２０】
本実施形態の改装サッシユニット１は、図１〜図３に示すように、新たに取り付けられる改装透光性サッシとしての改装開閉サッシ１０及び改装遮光性パネルとしての改装閉塞パネル２０を有する改装サッシ５と、改装サッシ５を取り付けるための接合部材であって、改装開閉サッシ１０の改装開口枠１１及び改装閉塞パネル２０の改装外領域枠としての改装閉塞枠２１を連結する連結部材としての下枠接合部材３６、連結方立３８、上枠補助部材４４、及び、改装開口枠１１及び改装閉塞枠２１を既設枠５０に固定するための固定部材としての上枠接合部材３５、縦枠接合部材３７、下枠ブラケット３９、上枠接合部材固定金具４０、縦枠接合部材固定金具４２、閉塞枠上固定金具４３と、を有している。
【００２１】
以下の説明においては、建物等に取り付けられた状態の既設枠５０及び改装サッシ５を室内側から見たときに、上下となる方向を上下方向、左右となる方向を左右方向または見付け方向、室内外方向である奥行き方向を見込み方向として示す。また、改装サッシユニットが備える各部材は、単体として説明する場合であっても、建物等に形成された建物開口２に取り付けられた状態で上下方向、見付け方向、見込み方向等となる方向にて方向を特定して説明する。また、建物開口２の上部に取り付けられる枠部材の下側、建物開口２の下部に取り付けられる枠部材の上側、建物開口２の左側に取り付けられる枠部材の右側、建物開口２の右側に取り付けられる枠部材の左側を、建物開口２及び枠部材の中央側又は内側として説明する。
【００２２】
以下の実施形態においては、建物に既に設けられている既存の既設枠５０と、既設枠５０を建物開口２の内側から覆うように改装される改装サッシ５とが登場するが、同じ名称を有する部位、部材には、各名称の前に「既設」または「改装」を付して説明する。例えば、既設枠が有する下枠や縦枠等は、既設下枠、既設縦枠等とし、改装サッシ５が有する縦枠や障子等は、改装縦枠、改装障子等として説明する。
【００２３】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて建物開口２に設けられている。尚、既設上枠５１、既設下枠５２、及び、左右の既設縦枠５３は押出成形部材であり、左右の既設縦枠５３は、既設障子と係合する既設係合片５３ａの形状及び位置は異なるものの、互いにほぼ左右対称の形状をなしている。ここで、既設上枠５１及び既設下枠５２と、左右の既設縦枠５３とが矩形状に枠組みされた既設枠の内周側に形成される開口が既設枠開口に相当する。
【００２４】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。
【００２５】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、室内側にて鉛直な面を形成する室内側上壁部５１ｄとを有している。既設内上レール５１ａ、既設外上レール５１ｂ、既設網戸上レール５１ｃは、上端側にて繋がっており、室内側上壁部５１ｄは既設内上レール５１ａの室内側に設けられている。また、既設上枠５１は、上部に設けられ上方に向かって突出された固定フィン５１ｅにて窓まぐさ３ａに固定されている。
【００２６】
既設内上レール５１ａ、既設外上レール５１ｂ、既設網戸上レール５１ｃは、いずれも見付け方向の全域に渡って鉛直方向に垂設された板状の部位である。そして、室内側から室内側上壁部５１ｄ、既設内上レール５１ａ、既設外上レール５１ｂ、既設網戸上レール５１ｃの順で配置され、見込み方向に互いに間隔を隔てて対面するように設けられている。また、既設内上レール５１ａと既設外上レール５１ｂとの下端は、ほぼ同じ位置まで延出されている。
【００２７】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃと、室内側にて鉛直な面を形成する室内側下壁部５２ｄとが、見込み方向に互いに間隔を隔てて設けられている。
【００２８】
既設内下レール５２ａ、既設外下レール５２ｂ、既設網戸下レール５２ｃは、いずれも見付け方向の全域に渡って上方に突出させて設けられた板状の部位である。そして、室内側から室内側下壁部５２ｄ、既設内下レール５２ａ、既設外下レール５２ｂ、既設網戸下レール５２ｃ、の順で、見込み方向に互いに間隔を隔てて配置されている。また、室内側下壁部５２ｄ及び既設内下レール５２ａと、既設外下レール５２ｂと、既設網戸下レール５２ｃとは、室内側から室外側に向かって順次低くなるように階段状に形成されている。
【００２９】
既設下枠５２は、室内側の部位が窓台３ｂ上に載置されるとともに下方に向かって突出された固定フィン５２ｅにて窓台３ｂに固定されている。
【００３０】
既設縦枠５３は、見込み方向に沿う平面でなる既設縦枠本体部５３ｂと、既設縦枠本体部５３ｂから建物開口２の中央側に突出され既設障子の既設戸先框が係合される既設係合片５３ａと、既設縦枠本体部５３ｂの室内側にて室内に臨む面を形成する室内縦壁部５３ｃと、既設枠５０の室外側にて配置され既設縦枠本体部５３ｂから建物開口２の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００３１】
改装サッシユニット１が有する改装サッシ５は、既設枠５０にて形成される既設枠開口より小さな開口を形成する改装開口枠１１、及び、改装開口枠１１に開閉自在に設けられ透光性を有する透光性面材としてのガラスが設けられた改装障子１２を有する改装開閉サッシ１０と、既設枠開口の内周側の領域のうちの改装開閉サッシ１０により占められる領域を除く領域に設けられる改装外領域枠としての改装閉塞枠２１、及び、改装閉塞枠２１の内側を覆って閉塞し遮光性を有する遮光性面材としての外装板２２とを有する改装遮光パネルとしての改装閉塞パネル２０と、を有している。改装開閉サッシ１０及び改装閉塞パネル２０は、建物等の建物開口２に直接新設可能な一般的なサッシである。すなわち、改装専用のサッシではない。
【００３２】
改装開閉サッシ１０の改装開口枠１１も引き違い障子用の枠体であり、改装開閉サッシ１０の改装障子１２が案内される改装レール１３ａ、１３ｂ、１４ａ、１４ｂを有する改装開閉上枠１３及び改装開閉下枠１４と、左右の改装開閉縦枠１５が矩形状に枠組みされている。改装開閉上枠１３、改装開閉下枠１４、及び、左右の改装開閉縦枠１５は押出成形部材であり、左右の改装開閉縦枠１５は改装障子１２ａ、１２ｂとの改装係合片１５ａを除いて互いに左右対称の形状をなしている。
【００３３】
改装開閉上枠１３は、改装内障子１２ａを案内するための改装内上レール１３ａと、改装外障子１２ｂを案内するための改装外上レール１３ｂと、改装網戸７０を案内するための改装網戸上レール１３ｃとが、見込み方向に互いに間隔を隔てて設けられている。改装内上レール１３ａと、改装外上レール１３ｂと、改装網戸上レール１３ｃとは、改装開閉上枠１３の見付け方向の全域に渡って鉛直方向に垂設されている。また、改装網戸上レール１３ｃは、改装開閉上枠１３の最も室外側に設けられている。改装開閉上枠１３の室内側の端部には、水平方向に延出されて改装開閉上枠１３を躯体３に固定するための固定片１３ｄが設けられている。
【００３４】
また、改装開閉上枠１３は、改装内上レール１３ａと改装外上レール１３ｂとの間にて分断されており、室外側の部位と室内側の部位とが断熱材７２を介して接合されて断熱性が確保されている。
【００３５】
改装開閉上枠１３の、断熱材７２より室外側の部位の上面は、見込み方向の中央より室内側がほぼ水平面をなし、中央より室外側は室外側に向かって低くなるように僅かな傾斜が設けられた滑らかな面をなしている。また、断熱材７２より室内側は、室外側の部位より低く窪みが形成されている。このため、改装開閉上枠１３は、水平面をなす部位より上方に突出しないように形成されている。また、改装開閉上枠１３の上面にはＬ字状をなす上枠補助部材４４が、改装開閉上枠１３の室外側に偏らせて固定されており、Ｌ字状をなす一方をなす水平板部４４ａが、改装開閉上枠１３の上面水平面をなす部位にビスにて固定されており、他方の鉛直板部４４ｂが、室外側にて水平板部４４ａより上方に立ち上がっている。そして、鉛直板部４４ｂの室外側の面は、改装網戸上レール１３ｃの室外側の面とほぼ同一平面をなすように配置されている。
【００３６】
改装開閉下枠１４は、改装内障子１２ａを案内するための改装内下レール１４ａと、改装外障子１２ｂを案内するための改装外下レール１４ｂと、改装網戸７０を案内するための改装網戸下レール１４ｃとが、見込み方向に互いに間隔を隔てて設けられている。改装開閉下枠１４の室内側の端部は、改装サッシ５の室内側に設けられた改装額縁６０と対向する平面を有する額縁対向部１４ｄが設けられている。額縁対向部１４ｄの下端は、後述する下枠接合部材３６に設けられた額縁支持部材４１に当接されるとともに、額縁支持部材４１に設けられた鉛直壁部４１ａにビス６５にて固定される。
【００３７】
額縁対向部１４ｄと改装内下レール１４ａとを繋ぐ部位のほぼ中央には、下方に延出されて下枠接合部材３６に支持される室内側脚部１４ｅと、改装内下レール１４ａの下方に延出されて下枠接合部材３６に支持される中央脚部１４ｆと、改装外下レール１４ｂの下方に延出されて下枠接合部材３６に支持される室外側脚部１４ｇと、を有し、中央脚部１４ｆと室外側脚部１４ｇとが下端側にて連結された連結部１４ｈを有している。また、連結部１４ｈから室外側に、改装網戸下レール１４ｃとほぼ同じ位置まで延出された延出部１４ｉが形成され、延出部１４ｉの先端には、下枠接合部材３６と係合する開閉下枠係合部１４ｋが設けられている。
【００３８】
改装開閉縦枠１５は、見込み方向に沿う平面を有する改装縦枠本体部１５ｂと、改装縦枠本体部１５ｂから建物開口２の中央側に突出され改装障子１２ａ、１２ｂの改装戸先框１２ｃが係合される改装係合片１５ａと、改装縦枠本体部１５ｂの室内側の縁部から改装開口枠１１の外周側に突出され縦枠接合部材３７の室内側に配置される室内側係合部１５ｃと、改装縦枠本体部１５ｂの室内側の縁部から改装開口枠１１の内周側に突出された縦枠内突出部１５ｄと、改装開口枠１１の最も室外側に配置され改装縦枠本体部１５ｂから改装開口枠１１の内周側に突出され改装網戸７０の改装縦框７０ａに挿入される改装挿入片１５ｅと、改装開口枠１１の室外側の縁部に改装挿入片１５ｅと見付け方向において反対側に突出された改装縦枠縁部１５ｆと、を有している。ここで、左側の改装開閉縦枠１５の室内側係合部１５ｃは、改装開口枠１１に連結方立３８が取り付けられる際に連結方立３８の閉塞枠外係合部３８ｇと係合する。
【００３９】
改装閉塞パネル２０の改装閉塞枠２１は、所謂ＦＩＸ障子用の枠体であり、本実施形態においては、面材として遮光性を有する外装板２２が固定されている。
【００４０】
改装閉塞枠２１は、改装閉塞上枠２３及び改装閉塞下枠２４と、左右の改装閉塞縦枠２５が矩形状に枠組みされている。改装閉塞上枠２３、改装閉塞下枠２４、及び、左右の改装閉塞縦枠２５は押出成形部材であり、左右の改装閉塞縦枠２５は互いに左右対称の形状をなしている。
【００４１】
改装閉塞上枠２３は、改装開閉上枠１３の上面と同様に、見込み方向の中央より室内側がほぼ水平面をなし、中央より室外側は室外側に向かって低くなるように僅かな傾斜が設けられた滑らかな面をなす改装上枠上板部２３ａと、改装上枠上板部２３ａの室外側の縁部から垂設され、改装開閉上枠１３の改装網戸上レール１３ｃと同じ室外側の面を形成する上枠垂板部２３ｂと、改装上枠上板部２３ａの見込み方向におけるほぼ中央から垂設され、下端部に外装板を室外側から保持する外装板上保持部２３ｃを備えた上枠外側垂壁部２３ｄと、改装上枠上板部２３ａの室内側の縁部近傍から垂設された上枠内側垂壁部２３ｅと、上枠外側垂壁部２３ｄの上下方向におけるほぼ中央にて水平方向に延出されて上枠内側垂壁部２３ｅの下端と連結する上枠連結部２３ｆと、上枠内側垂壁部２３ｅの下端近傍から室内方向に延出されて下面に上押縁２６を取り付けるための上アタッチメント２７が係止されるアタッチメント係止部２３ｇと、アタッチメント係止部２３ｇの室内側の縁から上方に延出された上枠内壁部２３ｈと、を有している。
【００４２】
改装上枠上板部２３ａの上面には、改装開閉上枠１３と同様に、Ｌ字状をなす上枠補助部材４４が、改装閉塞上枠２３の室外側に偏らせて固定されており、Ｌ字状をなす一方をなす水平板部４４ａが、改装閉塞上枠２３の上面水平面をなす部位にビスにて固定されており、他方の鉛直板部４４ｂが、室外側にて水平板部４４ａより上方に立ち上がっている。そして、鉛直板部４４ｂの室外側の面は、改装網戸上レール１３ｃ及び上枠垂板部２３ｂの室外側の面とほぼ同一平面をなすように配置されている。
【００４３】
改装閉塞下枠２４は、見込み方向におけるほぼ中央から上方に立設され、上端部に外装板を室外側から保持する外装板下保持部２４ａを備えた下枠外側壁部２４ｂと、下枠外側壁部２４ｂの上下方向におけるほぼ中央から室内側に向かって延出されほぼ水平をなす下枠水平板部２４ｃと、下枠水平板部２４ｃの室内側の縁から上方に立設されて改装サッシ５の室内側に設けられた改装額縁６０と対向する平面を有する額縁対向部２４ｄと、下枠水平板部２４ｃの室内側の縁から下方に垂設された下枠垂壁部２４ｅと、下枠水平板部２４ｃの見込み方向におけるほぼ中央から垂設されて後述する下枠接合部材３６に支持される中央脚部２４ｆと、中央脚部２４ｆの下端から室外側に延出されて下枠接合部材３６に載置される下枠底板部２４ｇと、中央脚部２４ｆの上下方向における中央から室外側に延出された中央延出部２４ｈと、下枠底板部２４ｇと中央延出部２４ｈとを室外側にて上下に繋ぐ上下連結部２４ｉと、上下連結部２４ｉから室外側に、既設網戸下レール５２ｃとほぼ同じ位置まで延出された延出部２４ｊが形成され、延出部２４ｊの先端には、下枠接合部材３６と係合する閉塞下枠係合部２４ｋが設けられている。下枠外側壁部２４ｂの下端は中央延出部２４ｈと繋がっている。また、下枠水平板部２４ｃは、中央脚部２４ｆの室内側にて分断されており、室外側の部位と室内側の部位とが断熱材７２を介して接合されて断熱性が確保されている。下枠水平板部２４ｃの断熱材７２より室内側には、下押縁２８が嵌合される下押縁嵌合部２４ｌが設けられている。
【００４４】
改装閉塞縦枠２５は、見込み方向に沿う平面を有する改装閉塞縦枠本体部２５ａと、改装閉塞縦枠本体部２５ａから建物開口２の中央側に突出されて先端部に外装板を室外側から保持する外装板縦保持部２５ｂを備えた縦枠外側壁部２５ｃと、改装閉塞縦枠本体部２５ａの最も室内側にて見付け方向に沿う面を形成する室内側壁部２５ｄと、改装閉塞縦枠本体部２５ａの室外側の縁が外装板縦保持部２５ｂと反対側に突出されて縦枠接合部材３７と係合する係合縁部２５ｅと、を有している。室内側壁部２５ｄの改装閉塞縦枠本体部２５ａより建物開口２の中央側に突出している部位が、縦押縁２９を取り付けるための縦アタッチメント３０が係止されるアタッチメント係止部２５ｆをなし、アタッチメント係止部２５ｆと反対側に突出された室内側縦突出部２５ｇを形成している。ここで、左右の改装閉塞縦枠２５は、同一の部材がその形状が左右対称となるように配置されている。
【００４５】
上枠接合部材３５は、アルミニウム製の押し出し成形部材である。  
上枠接合部材３５は、既設上枠５１の下方を覆い平坦な下面をなして改装開閉上枠１３が固定される上枠固定板部３５ａと、上枠固定板部３５ａの室外側の端部側にて上方に突出させて設けられ既設上枠５１に室内側から当接される既設上枠当接部３５ｂと、上枠固定板部３５ａの室外側の縁から下方に突出させて設けられ改装開閉上枠１３が室内側から当接される改装上枠当接部３５ｃとを有している。
【００４６】
上枠固定板部３５ａは、ほぼ平坦な板状をなし、取り付けられた際に既設上枠５１の既設内上レール５１ａより室内側に突出し、突出した部位が既設上枠５１と対向して既設内上レール５１ａとともに躯体３の下方に位置するように形成されている。
【００４７】
上枠接合部材固定金具４０は、既設内上レール５１ａ及び既設外上レール５１ｂの下縁に当接され、既設内上レール５１ａの室内側及び既設外上レール５１ｂの室外側に延び下面が平坦な２つのレール当接部４０ａと、２つのレール当接部４０ａ間を繋ぎ上方に窪んだ部位が水平面を有する連結部４０ｂと、を備えたアルミニウム製の押出成形部材である。上枠接合部材固定金具４０は、連結部４０ｂの水平面をなす水平板部４０ｃと２つの当接部４０ａとを繋ぐ部位が既設外上レール５１ｂにビス止めされて既設上枠５１に固定されている。
【００４８】
閉塞枠上固定金具４３は、改装閉塞上枠２３の上枠内壁部２３ｈに室内側からビス止めされる部材である。閉塞枠上固定金具４３は、上枠内壁部２３ｈに当接されて固定される固定壁部４３ａと、固定壁部４３ａの上縁から上方に向かって室内側に傾斜する板部でなる固定傾斜板部４３ｂとを有し、閉塞枠上固定金具４３が上枠内壁部２３ｈにビス止めされて、固定傾斜板部４３ｂを貫通するビス６８が躯体３に螺合されることにより閉塞枠上固定金具４３が固定されて改装閉塞枠２１が躯体３に固定される。
【００４９】
下枠接合部材３６は、アルミニウム製の押し出し成形部材であり、室外側は既設下枠５２に固定された下枠ブラケット３９を介して既設下枠５２に固定されている。
【００５０】
下枠接合部材３６は、室内側にて鉛直面を形成する室内側鉛直壁部３６ａと、室内側鉛直壁部３６ａの上下方向におけるほぼ中央から室外側に延出され、改装開閉下枠１４の室内側脚部１４ｅ及び改装閉塞下枠２４の下枠垂壁部２４ｅが載置される内脚部載置部３６ｂと、内脚部載置部３６ｂの室外側の縁から垂下された部位の下縁から室外側に延出された下室外側延出部３６ｃと、下室外側延出部３６ｃの室外側縁部に設けられ、改装開閉下枠１４の開閉下枠係合部１４ｋ及び改装閉塞下枠２４の閉塞下枠係合部２４ｋと係合する係合凹部３６ｄと、係合凹部３６ｄから下方に垂設され、既設網戸下レール５２ｃに下枠ブラケット３９を介して固定される室外側固定部３６ｅと、室内側鉛直壁部３６ａの下端側から室内側に向かって下方に傾斜して躯体３に螺合されるビス６８にて固定される室内側下固定片３６ｆと、を有している。
【００５１】
下枠ブラケット３９は、既設下枠５２の既設外下レール５２ｂの室外側に当接されてビス止めされるレール固定部３９ａと、レール固定部３９ａがビス止めされた状態で、既設外下レール５２ｂと既設網戸下レール５２ｃとの間に位置して下端が既設下枠５２上に載置される下接合部材固定部３９ｂとが上方で繋がったアルミニウム製の押出成形部材である。下枠接合部材３６の室外側固定部３６ｅは、レール固定部３９ａがビス止めされた下枠ブラケット３９の下接合部材固定部３９ｂに室外側固定部３６ｅを貫通するビスにて固定されている。
【００５２】
左右の既設縦枠５３と改装開閉サッシ１０及び改装閉塞パネル２０との間に介在される縦枠接合部材３７は、同一のアルミニウム製押出成形部材であり、左右の向きが異なるように配置される。ここでは、左の既設縦枠５３と改装閉塞パネル２０との間に介在される左の縦枠接合部材３７を例に挙げて説明する。
【００５３】
左の縦枠接合部材３７は、水平断面形状が見込み方向に長いほぼ長方形状をなす中空部３７ａを有し、長方形状をなす中空部３７ａの室外側の面をなす室外縦壁部３７ｂは、右側、すなわち建物開口２の中央側に延出されて、改装閉塞縦枠２５の係合縁部２５ｅと係合する係合部３７ｃが形成されている。また、長方形状をなす中空部３７ａの室内側の面をなす室内縦壁部３７ｄも右側、すなわち建物開口２の中央側に延出されており、延出された先端が改装閉塞縦枠２５が有する改装閉塞縦枠本体部２５ａの左側面に当接される改装縦枠側延出部３７ｅをなしている。また、室内縦壁部３７ｄの左側縁部から室内方向に延出されて躯体３に螺合されるビス６８にて固定される室内側縦固定片３７ｆが設けられている。室内側縦固定片３７ｆは、室外側に向かって漸次左側に傾斜する傾斜部分を有している。
【００５４】
左の縦枠接合部材３７が改装閉塞パネル２０の左の改装閉塞縦枠２５と組み合わされたときに、左の縦枠接合部材３７の室内縦壁部３７ｄは、改装閉塞縦枠２５の室内側縦突出部２５ｇの室外側に間隔を隔てって配置されており、室内縦壁部３７ｄと室内側縦突出部２５ｇとの間には、室内縦壁部３７ｄと室内側縦突出部２５ｇとの間を繋ぐ中継板部４２ａと、中継板部４２ａの左側端から延出されて室内側縦固定片３７ｆと重なる室内側縦傾斜片４２ｂとを有する縦枠接合部材固定金具４２が設けられている。縦枠接合部材３７と縦枠接合部材固定金具４２とは、室内縦壁部３７ｄと中継板部４２ａとがビスにて固定されて一体をなし、室内側縦固定片３７ｆと室内側縦傾斜片４２ｂとが重なった状態にて躯体３に螺合されるビス６８が貫通されて躯体３に固定される。
【００５５】
改装開閉サッシ１０と改装閉塞パネル２０との間に介在される接合部材としての連結方立３８は、見込み方向においてほぼ中央より室内側に配置されるほぼ矩形状の中空部３８ａと、中空部３８ａを形成する改装開閉サッシ１０側の右壁部３８ｂと直線状に繋がって室外側に延出された外側壁部３８ｃと、外側壁部３８ｃの室外側の縁からから改装開閉サッシ１０側に延出されて、改装開閉縦枠１５の改装縦枠縁部１５ｆと係合する開閉枠外係合部３８ｄと、外側壁部３８ｃの室外側の縁からから改装閉塞パネル２０側に延出されて、改装閉塞縦枠２５の係合縁部２５ｅと係合する閉塞枠外係合部３８ｅと、右壁部３８ｂと繋がって室内側に延出された内側右壁部３８ｆと、内側右壁部３８ｆの室内側の縁から改装開閉サッシ１０側に延出されて改装開閉縦枠１５の室内側係合部１５ｃと係合する閉塞枠外係合部３８ｇと、中空部を形成する改装閉塞パネル２０側の左壁部３８ｈと直線状に繋がって室内側に延出され内側左壁部３８ｉと、内側左壁部３８ｉの室内側の縁から改装閉塞パネル２０側に延出されて改装閉塞縦枠２５の室内側縦突出部２５ｇと係合する閉塞枠外係合部３８ｊと、を有している。
【００５６】
本実施形態の改装サッシユニット１の取付方法は、まず図４に示すように、改装開口枠１１と改装閉塞枠２１とに、上枠補助部材４４と下枠接合部材３６と縦枠接合部材３７と連結方立３８とを組み付けることにより、改装開口枠１１と改装閉塞枠２１とが一体をなすサブユニット７を形成する（サブユニット形成工程）。
【００５７】
具体的には、まず、改装開口枠１１と改装閉塞枠２１との間に連結方立３８にて連結する。このとき、連結方立３８と改装開閉縦枠１５とは、連結方立３８の開閉枠外係合部３８ｄと左側の改装開閉縦枠１５の改装縦枠縁部１５ｆとを係合させ、連結方立３８の閉塞枠外係合部３８ｇと左側の改装開閉縦枠１５の室内側係合部１５ｃとを係合させ、閉塞枠外係合部３８ｇの改装開口枠１１側に延出されている部位と室内側係合部１５ｃとが見込み方向に重なった部位を室内側からビスにて固定する。
【００５８】
また、連結方立３８と改装閉塞縦枠２５とは、連結方立３８の閉塞枠外係合部３８ｅと右側の改装閉塞縦枠２５の係合縁部２５ｅとを係合させ、連結方立３８の閉塞枠外係合部３８ｊと右側の改装閉塞縦枠２５の室内側縦突出部２５ｇとを係合させ、閉塞枠外係合部３８ｊの改装開口枠１１側に延出されている部位と室内側縦突出部２５ｇとが見込み方向に重なった部位を室内側からビスにて固定する。このとき、改装閉塞枠２１の改装閉塞上枠２３には、閉塞枠上固定金具４３を予め取り付けておく。
【００５９】
そして、連結された改装開口枠１１と改装閉塞枠２１の上側に、上枠補助部材４４を固定し、連結された改装開口枠１１と改装閉塞枠２１の下側に下枠接合部材３６を固定し、改装開口枠１１の右側と改装閉塞枠２１の左側とに、それぞれ縦枠接合部材３７を固定する。このとき、改装開閉上枠１３と改装閉塞上枠２３との上部には、改装開閉上枠１３と改装閉塞上枠２３とに架け渡して上枠補助部材４４をビス止めする。
【００６０】
また、改装開閉下枠１４の開閉下枠係合部１４ｋ及び改装閉塞下枠２４の閉塞下枠係合部２４ｋを、改装開閉下枠１４と改装閉塞下枠２４との下側に亘って設けられる下枠接合部材３６の室外側固定部３６ｅに係合させるとともに、改装開閉下枠１４の室内側脚部１４ｅ及び改装閉塞下枠２４の下枠垂壁部２４ｅを下枠接合部材３６の室内側鉛直壁部３６ａとを見込み方向に対向させて重ね合わせ、ビス６５にて仮固定する。また、左右の縦枠接合部材３７には、予め縦枠接合部材固定金具４２を、改装縦枠側延出部３７ｅと中継板部４２ａとが、室内側縦固定片３７ｆと室内側縦傾斜片４２ｂとがそれぞれ重なるように配置してビスにて接合しておく。
【００６１】
そして、縦枠接合部材固定金具４２が取り付けられた左右の縦枠接合部材３７の係合部３７ｃと改装閉塞縦枠２５の係合縁部２５ｅをそれぞれ係合させるとともに、改装縦枠側延出部３７ｅの先端を改装閉塞縦枠本体部２５ａの左側に当接させて室内側壁部２５ｄと室内側縦固定片３７ｆ及び室内側縦傾斜片４２ｂとをビスにて固定する。そして、上枠補助部材４４の上方から、また、下枠接合部材３６の下方から、それぞれビスを連結方立３８に螺合するとともに、改装開閉下枠１４と改装閉塞下枠２４とにわたるように形成された連結プレート４８を下枠接合部材３６の室外側から当接させてビスにて改装開閉下枠１４と改装閉塞下枠２４とを固定して、サブユニット７を形成する。
【００６２】
サブユニット７は、図５に示すように、既設上枠５１に上枠接合部材固定金具４０を介して固定された上枠接合部材３５と、既設下枠５２に固定された下枠ブラケット３９を介して既設枠５０に取り付けられる（接合工程）。
【００６３】
具体的には、まず、サブユニット７の下端側が室外側に位置し、上端側が室内側に位置するようにサブユニット７を傾けた状態にて、室内側から既設枠５０の内周側に挿入し、既設下枠５２の上に載置する。そして、サブユニット７が有する下枠接合部材３６の室外側固定部３６ｅを室外側から下枠ブラケット３９の下接合部材固定部３９ｂに当接させるとともに、サブユニット７の上端側を室外方向に移動させる。このとき、改装開閉上枠１３の改装網戸上レール１３ｃ及び改装閉塞上枠２３の上枠垂板部２３ｂ及び鉛直板部４４ｂの室外側の面を上枠接合部材３５の改装上枠当接部３５ｃに当接させて位置決めする。
【００６４】
位置決めされたサブユニット７は、改装開閉上枠１３の固定片１３ｄの下方から、改装閉塞上枠２３に設けられた閉塞枠上固定金具４３の固定傾斜板部４３ｂの室内側から、下枠接合部材３６の室内側下固定片３６ｆの室内側から、縦枠接合部材固定金具４２の室内側縦傾斜片４２ｂ及び縦枠接合部材３７の室内側縦固定片３７ｆの室内側から、それぞれ貫通させたビスを躯体３に螺合して固定する。また、室外側からは、下枠接合部材３６の室外側固定部３６ｅを貫通するビスを下枠ブラケット３９の下接合部材固定部３９ｂに螺合させて固定する。
【００６５】
最後に、改装開閉下枠１４の室内側脚部１４ｅ及び改装閉塞下枠２４の下枠垂壁部２４ｅと下枠接合部材３６の室内側鉛直壁部３６ａとを仮固定しておいたビス６５を一旦外し、室内側から額縁支持部材４１の鉛直壁部４１ａを当接させて、鉛直壁部４１ａとともにビス６５にて本固定し、改装額縁６０を取り付ける。
【００６６】
本実施形態の改装サッシユニット１によれば、既設枠開口より小さな開口を形成する改装開口枠１１及び開閉自在な障子１２を備えた改装開閉サッシ１０と、改装開口枠１１より外側の領域に設けられる改装閉塞枠２１及び改装閉塞枠２１の内側を覆う外装板２２を有する改装閉塞パネル２０を既設枠５０に上枠接合部材３５、下枠接合部材３６、縦枠接合部材３７を用いて取り付けるだけで、容易に、既設枠５０の内周側に既設枠開口より小さな開口を備え、透光性を有する改装開閉サッシ１０を設けるとともに、既設枠５０の内周側の領域のうちの改装開閉サッシ１０が占める領域を除く領域を、遮光性を有する面材にて閉塞することが可能である。例えば、従来のように既設枠５０の内周側の一部の領域を閉塞すべく壁を形成する場合には、既設枠５０を取り外さなければならず、また、形成された壁は既存の壁と差が生じるため、美観が損なわれる虞がある。上記改装サッシユニット１によれば、既設サッシの既設枠５０内に改装開閉サッシ１０と改装閉塞パネル２０を設けるので、施工が容易かつ安価であるとともに、既設枠５０、改装開閉サッシ１０、改装閉塞パネル２０が統一された外観が得られるので、美観に優れた改装サッシユニット１を提供することが可能である。
【００６７】
また、外装板２２は遮光性を有するので、外装板２２によって閉塞された領域の裏側が外部に露出することを防止することが可能である。そして、改装開閉サッシ１０は、透光性面材を備え、開閉自在に設けられる障子１２を有するので、透光性を有し開閉可能な窓を備えることが可能である。このため、既設枠開口の内周側の一部を内部が露出しないように閉塞するとともに、採光及び換気も可能な窓を備えたサッシに、容易に改装することが可能である。
【００６８】
また、改装開口枠１１と改装閉塞枠２１とが下枠接合部材３６、連結方立３８、上枠補助部材４４にて連結され、連結された改装開口枠１１と改装閉塞枠２１とが既設枠５０に接合されるので、改装開口枠１１と改装閉塞枠２１とを個々に既設枠５０と接合しない。このため、施工現場での作業を削減し、容易にかつ短時間にて改装することが可能である。このため、コストも低減することが可能である。
【００６９】
また、上記改装サッシユニットの取付方法によれば、既設枠開口より小さな開口を形成する改装開口枠１１と、既設枠開口の内周側にて改装開口枠１１より外側の領域を閉塞する外装板２２が組み込まれた改装閉塞パネル２０とを連結して一体のサブユニット７として、既設枠５０に接合されるので、現場での施工が容易である。このため、容易な施工にて、既設枠開口の内周側に開閉自在な領域と閉塞される領域とを設けることが可能である。
【００７０】
上記実施形態においては、改装開閉サッシ１０と改装閉塞パネル２０とをそれぞれ１つずつ見付け方向に並べて設ける例について説明したが、これに限るものではない。例えば、図６に示すように、改装開閉サッシ１０と改装閉塞パネル２０の配置は、上下でも良いし、また、改装開閉サッシ１０及び改装閉塞パネル２０の少なくともいずれかが複数設けられていても構わない。改装開閉サッシ１０及び改装閉塞パネル２０が複数設けられる場合には、既設枠開口内を開閉可能な領域と閉塞される領域とを適宜分けることが可能である。このとき、改装開閉サッシ１０と改装閉塞パネル２０とが交互に配置されたり、改装開閉サッシ１０同士及び改装閉塞パネル２０同士が並べた配置されていても構わない。そして、改装開閉サッシ１０と改装閉塞パネル２０とを上下方向に並べる場合には、改装開閉サッシ１０と改装閉塞パネル２０との間には無目４５が介在されて連結される。このように、改装開閉サッシ１０及び改装閉塞パネル２０の少なくともいずれかが複数設けられている場合には、施工現場に応じて開閉可能な領域と閉塞される領域との配置に対する自由度が向上する。
【００７１】
上記実施形態においては、改装透光性サッシを透光性面材としてのガラスを有する引き違い障子を備えた改装開閉サッシ１０としたが、改装透光性サッシは引き違い障子用のサッシに限るものではない。例えば、透光性面材としてガラスやポリカーボネートなどの透光性を有する面材を備えた、片引き窓用サッシ、内倒し窓用サッシ、外倒し窓用サッシ、開き窓用サッシ、辷り出し窓用サッシ、ＦＩＸ窓用サッシなどであっても構わない。特に、ＦＩＸ窓用のサッシを改装透光性サッシとする場合には、上記実施形態にて用いた改装閉塞パネル２０の面材を、透光性を有する面材に変更することにより、共通の改装閉塞枠２１を使用すること可能である。
【００７２】
次に上記改装サッシユニットを有する窓ユニット１００の一例について説明する。  
本窓ユニット１００は、室内側空間と室外側空間との２つの空間の境界に位置する既設枠５０に設けられた改装サッシユニット１と、当該改装サッシユニット１の改装閉塞パネル２０の室内側に設けられる耐力壁１０２と、を有している。
【００７３】
具体的には、図７、図８に示すように、改装開閉サッシ１０と改装閉塞パネル２０との間の改装閉塞縦枠２５の一方の空間側である室内側の、改装閉塞縦枠２５と対向する位置に、上下の躯体３である梁１１２及び土台１１０との間に窓台３ｂ、飼い木１２１、床材１２２を介して固定された受け材１１１にわたるように新設柱１１４が配置され、固定金具（不図示）等を用いて釘１２０により固定されている。ここで、受け材１１１は、躯体３である土台１１０に、飼い木１２１、床材１２２を介して釘により固定されているので、土台１１０と一体となった躯体３とみなされる。
【００７４】
新設柱１１４は、既存の既設枠５０が設けられている部位が含まれて、躯体３に囲まれた領域、本実施形態の例では、既設枠５０の下方に位置する土台１１０と、既設枠５０の上方に位置する梁１１２と、既設枠５０の左右に位置する既存の柱３ｃとに囲まれた領域にて、上下に位置する梁１１２及び土台１１０に固定された受け材１１１にわたるように設けられている。このとき、新設柱１１４は、既設枠５０が取り付けられているまぐさ３ａにより上方に位置する梁１１２まで到達するように、まぐさ３ａにおいて新設柱１１４が貫通する部位は切り欠かれている。また、土台１１０に固定されている受け材１１１は、その端部が既存の柱３ｃと新設柱１１４と隣接するように設けられており、柱３ｃと新設柱１１４固定金具（不図示）等を用いて釘等により固定されている。
【００７５】
そして、既設枠５０を囲む躯体３のうちの一方の既存の柱３ｃ、梁１１２、及び、土台１１０と新設柱１１４とにわたらせた構造用の耐力面材としての合板、石膏ボード、中密度繊維板などの繊維板、単板積層材等の壁面材１１６が固定金具（不図示）等を用いて釘１２０により固定されて耐力壁１０２が形成されている。このとき、改装閉塞パネル２０と壁面材１１６との間には断熱材１１８が設けられている。
【００７６】
本実施形態の窓ユニット１００によれば、改装サッシユニット１の、既設枠５０の内周側に形成される開口より小さな改装開口枠１１に設けられた改装開閉サッシ１０により占められる領域を除く領域に設けられる改装閉塞パネル２０の室内側に、建物開口２の上下に位置する梁１１２間にわたって設けられる新設柱１１４と、既設枠５０が取り付けられている既存の柱３ｃとの間に亘って壁面材１１６が設けられるので、改装後に、必要な大きさの透光性を有する開口部を確保しつつ、耐力壁や断熱材を設けるスペースを確保することが可能である。
【００７７】
また、新設柱１１４及びこの新設柱１１４と既存の柱３ｃとの間にわたる壁面材１１６は、既設枠５０に改装サッシユニット１を備えるときに施工するので、施工が容易であるとともに、より綺麗に仕上げることが可能である。特に、既存の建物に外部からブレースやパネルを取り付けて耐震補強する場合と異なり、美観を損なうことなく耐震補強することが可能である。
【００７８】
また、壁面材１１６が改装閉塞パネル２０の室内側に設けられるので、室内側から施工施することが可能であり、また、改装閉塞パネル２０の室内側に、室内側空間の壁面をなす内壁面を設けることが可能である。このとき、改装閉塞パネル２０の室内側に設ける壁面材が、周囲の壁面材１１６と同一平面をなすように配置すると、納まりを綺麗に仕上げることが可能である。さらに、改装される窓が居室などに設けられた窓の場合には、壁面材１１６の表面に壁紙などの内装材を設けることにより、より綺麗に仕上げることが可能である。また、壁面材１１６として表面に内装材などにより化粧が施された壁面材を用いると、より簡単且つ綺麗に仕上げることが可能である。
【００７９】
さらに、面材を合板などの耐力面材としたので、より耐震性を高めることが可能である。この場合にも、耐力面材の表面に壁紙などの内装材を設けることにより、より綺麗に仕上げることが可能であり、表面に内装材などにより化粧が施された耐力面材を用いることにより、より簡単且つ綺麗に仕上げることが可能である。
【００８０】
また、改装閉塞パネル２０と壁面材１１６との間には断熱材１１８が設けられているので、耐力壁１０２においても高い断熱性を備えることが可能である。
【００８１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００８２】
１  改装サッシユニット、７  サブユニット、１０  改装開閉サッシ、
１１  改装開口枠、１２  改装障子、２０  改装閉塞パネル、２１  改装閉塞枠、
２２  外装板、３５  上枠接合部材、３６  下枠接合部材、３７  縦枠接合部材、
３８  連結方立、３９  下枠ブラケット、４０  上枠接合部材固定金具、
４２  縦枠接合部材固定金具、４３  閉塞枠上固定金具、４４  上枠補助部材
１００  窓ユニット、１０２  耐力壁、１１０  土台、１１１  受け材、
１１２  梁、１１４  新設柱、１１６  壁面材、１１８  断熱材
【図１】
0005687176.tif 000002
【図２】
0005687176.tif 000003
【図３】
0005687176.tif 000004
【図４】
0005687176.tif 000005
【図６】
0005687176.tif 000006
【図７】
0005687176.tif 000007
【図８】
0005687176.tif 000008
【図５】
0005687176.tif 000009